(57)【特許請求の範囲】
【請求項１】
下部が開口した箱状のフード体１と、このフード体１の天板に取付けられ空気入口３６を有する幕板３５と、フード体１の天板に取付けられダクト配管２２と接続した排気ダクト２１と、前記フード体１内に取付けられてフード体１内の空気を吸引して排気ダクト２１に吐出する大風量の大型送風機１４と、前記フード体１の天板上部における幕板３５よりも排気ダクト２１寄りに配置されて排気ダクト２１に空気を吐出する小風量の小型送風機３０で構成し、
前記大型送風機１４の吐出部と排気ダクト２１の入口部を連通する排気風路に、その排気風路を開閉作動する開閉部材を取付けたことを特徴とするレンジフード。
【請求項２】
前記小型送風機３０の吐出部と連続して導風筒体３８を設け、この導風筒体３８を排気ダクト２１内に突出させた請求項１記載のレンジフード。
【発明の詳細な説明】
【０００１】
【発明の属する技術分野】
本発明は、調理時に発生する煙、油分等を屋外に排出すると共に、居室全体を常時換気するレンジフードに関する。
【０００２】
【従来の技術】
従来一般に知られているレンジフードは、フード体内に送風機を取付け、調理時に送風機を駆動して調理時に発生した燃焼排ガスや油煙を捕集して屋外に排出するものである。つまり、レンジフードは台所での調理に伴なう燃焼ガスや油煙を全体に拡散させないでその場所で捕捉して排気する局所排気であって、通常殆どの場合設置されている。
【０００３】
【発明が解決しようとする課題】
高気密サッシを用いた住宅や、マンションは建築構造から大変に気密性が高く、自然の通風による換気は、意識して窓などを開けなければ、望めない。
他方、生活者（居住者）の居住空間であるＬＤＫや室は居住者の呼吸により酸素が消費され炭酸ガスが発生する。また、喫煙や発汗、衣類からの埃等生活行動に伴って室内の空気は汚され悪化するのでこれを改善するためには換気が必要である。
【０００４】
居住者１人当りの必要換気風量は居住者の活動状態によっても変化するが、２〜３０ｍ3 ／ｈが適当とされている。多ければ換気は良好であるが、室内空調に悪影響を及ぼす。
【０００５】
前述のように、ＬＤＫや室などの居室を換気するには、小風量の換気扇を設置すれば良いが、そのようにすると外壁に穴をあけることになって外観見栄えが悪いし、建築構造から穴をあけることができない場合がある。
【０００６】
例えば、通常居住者が２〜４人のマンションの場合には、１００ｍ3 ／ｈ未満の小風量の換気扇をＬＤＫや室のベランダの戸の上壁に設置すればよいが、マンションは外壁がコンクリートであり、かつこの部分には建屋強度上必要な鉄骨が走っており、換気扇を取付ける穴をあけることが出来ない。
【０００７】
このことから、レンジフードを居室の換気として利用することが考えられるが、レンジフードは４００ｍ3 ／ｈ以上の大風量であるから、居室の換気として利用すると前述のように換気風量が多過ぎて室内空調に悪影響を及ぼす。
【０００８】
具体的には、レンジフードの送風機のモータはコンデンサ誘導電動機を用い、モータに巻込まれた強、中、弱のコイル（巻線）のいずれかに通電することでモータの回転数をコントロールしてレンジフードを強運転、中運転、弱運転に切替えている。
【０００９】
一方、レンジフードの強運転時の風量は５００〜６００ｍ3 ／ｈであり、このレンジフードの風量を１００ｍ3 ／ｈ以下とすることはモータのコア（鉄心）のサイズ（大きさ）から困難である。
【００１０】
また、モータの出力を弱くして風量を１００ｍ3 ／ｈ以下とすることが考えられるが、モータの出力を弱くしていくと、起動に問題が生ずる。
これは、通常の１００Ｖモータで説明すると、「強」のコイル（タップ）では２〜３０Ｖの電圧を掛けただけでも、回転（起動）するが、「弱」の場合は８０Ｖ位の電圧を掛けないと回転（起動）しない。
このため「強」で５００〜６００ｍ3 ／ｈのレンジフードのモータの「弱」は限度があり、通常１５０ｍ3 ／ｈに設定する事は大変困難である。
【００１１】
本発明は、前述の課題を解決できるようにしたレンジフードを提供することを目的とする。
【００１２】
【課題を解決するための手段】
第１の発明は、下部が開口した箱状のフード体１と、このフード体１の天板に取付けられ空気入口３６を有する幕板３５と、フード体１の天板に取付けられダクト配管２２と接続した排気ダクト２１と、前記フード体１内に取付けられてフード体１内の空気を吸引して排気ダクト２１に吐出する大風量の大型送風機１４と、前記フード体１の天板上部における幕板３５よりも排気ダクト２１寄りに配置されて排気ダクト２１に空気を吐出する小風量の小型送風機３０で構成し、
前記大型送風機１４の吐出部と排気ダクト２１の入口部を連通する排気風路に、その排気風路を開閉作動する開閉部材を取付けたことを特徴とするレンジフードである。
【００１４】
第２の発明は、第１の発明において、前記小型送風機３０の吐出部と連続して導風筒体３８を設け、この導風筒体３８を排気ダクト２１内に突出させたレンジフードである。
【００１５】
【作    用】
第１の発明によれば、調理時に大風量の大型送風機１４によって調理時に発生した燃焼排ガスや油煙等を捕捉して排気ダクト２１、ダクト配管２２より屋外に排出できるし、通常時には小風量の小型送風機３０によって居室の空気を前記排気ダクト２１から屋外に排出できる。
【００１６】
したがって、レンジフード用の排気ダクト２１を利用して居室を換気できるので、建物躯体に換気用の特別の穴をあけたり、排気ダクト、ダクト配管を取付ける必要がない。しかも、レンジフード用の大風量の大型送風機１４とは別に小風量で居室換気専用の小型送風機３０を設けたので、居室の換気風量を所定の風量として室内空調に悪影響を及ぼすことがない。
【００１７】
また、小型送風機３０は幕板３５の空気入口３６から空気を吸い込みするので、居室換気は天井に近い位置から行なわれる。
このために、例えば煙・蒸気等天井付近に漂う排気したいガス類を効果的に屋外に排出できるし、小型送風機３０を常時駆動することで調理時万一レンジフードのフード体１から溢れた煙等を排出することができる。
【００１８】
また、開閉部材で排気風路を閉じることで、小型送風機３０より吐出された空気が大型送風機１４に逆流することが防止されるから、居室を確実に換気できる。
【００１９】
第２の発明によれば、大型送風機１４による吐出空気が排気ダクト２１内において導風筒体３８に沿って急速に流れ、その導風筒体３８の出口部が負圧となって空気吸い込み機能を生じる。
【００２０】
これによって、レンジフード運転時には小型送風機３０を駆動しなくとも幕板３５の空気入口３６、小型送風機３０、導風筒体３８を通って居室の空気が吸い込みされるので、レンジフード運転時には小型送風機３０を駆動せずに居室を換気できる。
【００２１】
【発明の実施の形態】
図１に示すように、フード体１は後側フード体２と、前側フード体３を有する。後側フード体２は後面板４と相対向した一対の側面板５と天板６により下部と前部が開口した箱状となっている。前記前側フード体３は前面板７と、相対向した一対の側面板８と天板９により下部と後部が開口した箱状と成っている。
【００２２】
前記後側フード体２と前側フード体３を連結してフード体１としてある。このフード体１は下部が開口した箱状となっている。
【００２３】
前記後側フード体２には仕切板１０とフィルター１１が取付けられてフード体１内を吸込部１２と排出部１３に区画している。排出部１３には大風量の大型送風機１４が取付けてある。この大型送風機１４はファンケース１５内にファン１６を設け、そのファン１６をモータ１７で回転するようにしてある。
【００２４】
ファンケース１５の吸込口１８は排出部１３に開口し、吐出口１９は後側フード体２の天板６の孔２０に開口している。前記天板６の上面における孔２０の周縁にほぼＬ字状の排気ダクト２１の縦向きの入口２１ａ周縁が取付けてあり、この排気ダクト２１の横向きの出口２１ｂの周縁にダクト配管２２が接続してある。
【００２５】
前記排気ダクト２１には小容量の小型送風機３０のファンケース３１が取付けてある。この小型送風機３０はファンケース３１内に設けたファン３２をモータ３３で回転するもので、風量が著く少ない、例えば１００ｍ3 ／ｈ以下の小型送風機３０としてある。前記ファンケース３１の吸込口３４は幕板３５と排気ダクト２１との間に開口して幕板３５のスリット状の空気入口３６より空気を吸い込み易くしてある。
【００２６】
前記ファンケース３１の吐出口３７は排気ダクト２１内に設けた導風筒体３８と連続し、その導風筒体３８は横向きとなって出口２１ｂと対向している。この導風筒体３８の出口にはシャッタ３９が開閉自在に取付けてある。このシャッタ３９は自重、ダクト配管２２からの逆流空気（外気）によって閉じ状態となり、小型送風機３０の吐出空気で開状態となる。
【００２７】
前記ファンケース１５の吐出部と排気ダクト２１の入口部を連続する排気風路に開閉部材が設けてある。例えば排気ダクト２１の入口２１ａ寄りにダンパ４０が取付けてある。このダンパ４０は、モータ４１で回転される軸４２にダンパプレート４３を取付けたものであって、モータ４１を正逆回転することでダンパプレート４３が図１に実線で示す閉状態と仮想線で示す開状態とに作動する。
【００２８】
次に作動を説明する。
調理時にはダンパプレート４３を開状態とすると共に、モータ１７を駆動して大型送風機１４によって調理時に発生した燃焼排ガスや油煙を矢印ａで示すようにフード体１内に捕捉し、フィルター１１を通して矢印ｂのように排気ダクト２１、ダクト配管２２を経て屋外に排出する。
【００２９】
この時、矢印ｂで示すように導風筒体３８に沿って燃焼排ガスや油煙が高速で流れ、導風筒体３８の出口部分が負圧となる。これによってシャッタ３９が開いて天井４４近くの空気が矢印ｃ，ｄ，ｅに示すように幕板３５の空気入口３６、吸込口３４、ファンケース３１、吐出口３７、導風筒体３８を経て吸引されて燃焼排ガスや油煙とともに屋外に排出される。
【００３０】
このようであるから、レンジフード運転時には小型送風機３０のモータ３３を駆動せずにＬＤＫや室等の居室を換気することができる。
【００３１】
レンジフード休止時には小型送風機３０のモータ３３を駆動して天井４４近くの空気を前述のようにしてダクト配管２２から屋外に排出して居室を換気する。
【００３２】
この時、導風筒体３８から吐出された居室の空気がレンジフード側に逆流する恐れがあるので、ダンパプレート４３を閉状態として前述の逆流を防止する。このダンパプレート４３を閉状態とすることで、強風時にダクト２２から外気がレンジフード内に逆流することを防止できる。
【００３３】
また、強風時にダクト配管２２から排気ダクト２１に逆流した外気でシャッタ３９は閉じるので、その外気が小型送風機３０から居室に入り込むことがない。
【００３４】
次に、前述のレンジフードにより居室を換気する一例を説明する。
図２に示すように、玄関５０、浴室５１、トイレ５２、ＬＤＫ５３、第１の室５４、第２の室５５、第３の室５４を有するマンションにおいて、ＬＤＫ５３の調理台５７のコンロ５８の上方に前述のレンジフードＡを取付ける。ダクト配管２２は天井裏は通って廊下（通路）５９方向に取付けられる。
【００３５】
このようにすることで、主としてＬＤＫ５３、第１の室５４、第２の室５５内の空気の一部が幕板３５の空気入口３６、小型送風機３０、導風筒体３８を経てダクトファン２２から屋外に排出されるので、前記ＬＤＫ５３、第１の室５４、第２の室５５等の居室を換気できる。
【００３６】
図３は第２の実施の形態を示し、小型送風機３０のファンケース３１の吐出口３７を排気ダクト２１の補助入口６０に直接開口接続してある。この場合にはレンジフード運転時に排気ダクト２１に流入した空気が補助入口６０からファンケース３１の出口に逆流する恐れがあるので、補助入口６０を開閉する手動又はモータで作動するシャッタ６１を取付ける。
【００３７】
このシャッタ６１はファンケース３１に取付けても良い。
【００３８】
図４と図５は第３の実施の形態を示し、前述の排気風路、例えばファンケース１５の吐出口１９部分に開閉部材、例えばスライドシャッタ７０を取付けてファンケース１５内に空気が逆流しないようにしてある。前記スライドシャッタ７０はシャッタプレート７１にナット部材７２を設け、モータ７３で回転されるネジ杆７４をナット部材７２に螺合し、モータ７３でネジ杆７４を正逆転することでシャッタプレート７１が図５に実線で示す閉状態と仮想線で示す開状態とに亘って往復動するものである。なお、シャッタプレート７１を揺動するようにしても良い。
【００３９】
【発明の効果】
第１の発明によれば、調理時に大風量の大型送風機１４によって調理時に発生した燃焼排ガスや油煙等を捕捉して排気ダクト２１、ダクト配管より屋外に排出できるし、通常時には小風量の小型送風機３０によって居室の空気を前記排気ダクト２１から屋外に排出できる。
【００４０】
したがって、レンジフード用の排気ダクト２１を利用して居室を換気できるので、建物躯体に換気用の特別の穴をあけたり、排気ダクト、ダクト配管を取付ける必要がない。しかも、レンジフード用の大風量の大型送風機１４とは別に小風量で居室換気専用の小型送風機３０を設けたので、居室の換気風量を所定の風量として室内空調に悪影響を及ぼすことがない。
【００４１】
また、小型送風機３０は幕板３５の空気入口３６から空気を吸い込みするので、居室換気は天井に近い位置から行なわれる。
このために、例えば煙・蒸気等天井付近に漂う排気したいガス類を効果的に屋外に排出できるし、小型送風機３０を常時駆動することで調理時万一レンジフードのフード体１から溢れた煙等を排出することができる。
【００４２】
また、開閉部材で排気風路を閉じることで、小型送風機３０より吐出された空気が大型送風機１４に逆流することが防止されるから、居室を確実に換気できる。
【００４３】
第２の発明によれば、大型送風機１４による吐出空気が排気ダクト２１内において導風筒体３８に沿って急速に流れ、その導風筒体３８の出口部が負圧となって空気吸い込み機能を生じる。
【００４４】
これによって、レンジフード運転時には小型送風機３０を駆動しなくとも幕板３５の空気入口３６、小型送風機３０、導風筒体３８を通って居室の空気が吸い込みされるので、レンジフード運転時には小型送風機３０を駆動せずに居室を換気できる。
【図面の簡単な説明】
【図１】本発明の第１の実施の形態を示すレンジフードの縦断面図である。
【図２】レンジフードの使用例を示すマンションの平面図である。
【図３】本発明の第２の実施の形態を示すレンジフードの縦断面図である。
【図４】本発明の第３の実施の形態を示すレンジフードの縦断面図である。
【図５】スライドシャッタの説明図である。
【符号の説明】
１…フード体、６…天板、１０…仕切板、１１…フィルター、１４…大型送風機、２１…排気ダクト、２２…ダクト配管、３０…小型送風機、３５…幕板、３６…空気入口、３８…導風筒体、４０…ダンパ、７０…スライドシャッタ。
【図１】
0003799705.tif 000002
【図２】
0003799705.tif 000003
【図３】
0003799705.tif 000004
【図４】
0003799705.tif 000005
【図５】
0003799705.tif 000006